(57)【要約】【課題】熱を帯びてしまう不具合を解消し、不要光を有効的に利用することができるプロジェクタを提供する。【解決手段】照射装置Ｌと、照射装置Ｌからの光を変調するＤＭＤ１２と、変調された光をスクリーンＳに投射する投射レンズ２１と、不要光Ｌｃを入射させる光吸収部材３０と、入射された不要光Ｌｃを導く光ファイバケーブル４０とを具備する。この光ファイバケーブル４０は、一端４０ａが光吸収部材３０に接続され、かつ他端４０ｂが投射レンズ２１に接続され、光吸収部材３０から吸収された不要光Ｌｃを投射レンズ２１のうち表示画像Ｈ１を形成する光の透過領域の外周に沿った枠状の帯域に接続されている。【選択図】図１
2008176031.tif 000002
【特許請求の範囲】
【請求項１】
照射装置と、前記照射装置から射出された光を変調して射出する光変調素子と、前記光変調素子により変調され射出された光をスクリーンに向けて投射し表示画像を形成する投射光学系とを備えたプロジェクタであって、
前記光変調素子は、傾斜角度を変更可能に構成されたマイクロミラーを複数備え、前記マイクロミラーへの入射角度を画像情報に応じて変更することにより、前記表示画像を形成する画像光を前記投射光学系に向けて反射すると共に、前記表示画像の形成に不要な不要光を前記投射光学系から外れた向きに反射するように構成され、
前記不要光の少なくとも一部を、前記投射光学系のうち前記画像光が透過される領域の外周に導く導光手段を備えることを特徴とするプロジェクタ。
【請求項２】
請求項１に記載のプロジェクタにおいて、
前記導光手段は、複数の光ファイバで構成されていることを特徴とするプロジェクタ。
【請求項３】
請求項２に記載のプロジェクタにおいて、
前記光ファイバのそれぞれは、前記表示画像の外縁近傍を形成する前記画像光と対応した前記不要光を、その画像光の近くの前記外周に導くことを特徴とするプロジェクタ。
【請求項４】
請求項３に記載のプロジェクタにおいて、
前記照射装置は、複数の色光を時分割で照射するように構成され、
前記光変調素子は、色光ごとに変調して、前記画像光及び前記不要光を射出するように構成されていることを特徴とするプロジェクタ。
【請求項５】
照射装置と、前記照射装置から射出された光を変調して射出する光変調素子と、前記光変調素子により変調され射出された光をスクリーンに向けて投射し表示画像を形成する第一の投射光学系とを備えたプロジェクタであって、
前記光変調素子は、傾斜角度を変更可能に構成されたマイクロミラーを複数備え、前記マイクロミラーへの入射角度を画像情報に応じて変更することにより、前記表示画像を形成する画像光を前記第一の投射光学系に向けて反射すると共に、前記表示画像の形成に不要な不要光を前記第一の投射光学系から外れた向きに反射するように構成され、
前記第一の投射光学系とは異なる新たな第二の投射光学系と、前記不要光の少なくとも一部を前記第二の投射光学系に導く導光手段とを備え、
前記第二の投射光学系は、前記第一の投射光学系によって前記スクリーンに形成された前記表示画像の外周を縁取るように、光を投射することを特徴とするプロジェクタ。
【請求項６】
請求項５に記載のプロジェクタにおいて、
前記導光手段は、複数の光ファイバで構成されていることを特徴とするプロジェクタ。
【請求項７】
請求項６に記載のプロジェクタにおいて、
前記光ファイバのそれぞれは、前記表示画像の外縁近傍を形成する前記画像光と対応した前記不要光を、その外縁近傍の前記表示画像の前記外周に導くように、設けられていることを特徴とするプロジェクタ。
【請求項８】
請求項７に記載のプロジェクタにおいて、
前記照射装置は、複数の色光を時分割で照射するように構成され、
前記光変調素子は、色光ごとに変調して、前記画像光及び前記不要光を射出するように構成されていることを特徴とするプロジェクタ。
【発明の詳細な説明】
【技術分野】
【０００１】
本発明は、光変調素子として、例えばＤＭＤ（Digital Micromirror Device）等のマイクロミラーを用いたプロジェクタに関する。なお、ＤＭＤは米国テキサスインスツルメンツ社の商標である。」
【背景技術】
【０００２】
従来、照射装置と、プロジェクタレンズと、光変調素子としてＤＭＤとを備えるプロジェクタが提供されている。この種のプロジェクタでは、照射装置からＤＭＤに向って光を射出させ、次いでＤＭＤによって変調して射出された光を、プロジェクタレンズ（投射光学系）を介してスクリーンに投射し、これによって、スクリーンに表示画像を形成するようになっている。
【０００３】
一方、このＤＭＤから変調して射出された光には、表示画像を形成する画像光のほか、表示画像の形成に不要な光（いわゆる不要光）がある。この不要光は、一般に、スクリーンに表示させたい光（いわゆる画像光）として利用されるものでは無く、表示画像にゴースト等の不具合を発生させる原因となる必要の無い光として扱われる。
【０００４】
このような不要光による不具合を解消することを目的として、不要光を外部に廃棄する構成が提案されている（例えば、特許文献１参照）。開示されている技術によれば、このＤＭＤから変調して射出された不要光は、別途設けられた光吸収部材によって吸収される。そして、吸収された不要光は、熱エネルギーに変換され、放熱されることにより廃棄される。
しかしながら、この構成によれば、光吸収部材によって変換された熱エネルギーによって、装置全体が熱を帯びてしまう不具合も指摘されている。
【特許文献１】特開２００４−１１７９３１号公報
【発明の開示】
【発明が解決しようとする課題】
【０００５】
本発明は、このような事情に鑑みなされたものであって、その目的は、熱を帯びてしまう不具合を解消し、不要光を有効的に利用することができるプロジェクタを提供することにある。
【課題を解決するための手段】
【０００６】
上述した課題を解決するために、本発明は、以下の手段のプロジェクタを提供する。
すなわち、本発明に係るプロジェクタは、照射装置と、前記照射装置から射出された光を変調して射出する光変調素子と、前記光変調素子により変調され射出された光をスクリーンに向けて投射し表示画像を形成する投射光学系とを備えたプロジェクタであって、前記光変調素子は、傾斜角度を変更可能に構成されたマイクロミラーを複数備え、前記マイクロミラーへの入射角度を画像情報に応じて変更することにより、前記表示画像を形成する画像光を前記投射光学系に向けて反射すると共に、前記表示画像の形成に不要な不要光を前記投射光学系から外れた向きに反射するように構成され、前記不要光の少なくとも一部を、前記投射光学系のうち前記画像光が透過される領域の外周に導く導光手段を備えることを特徴とする。
【０００７】
このプロジェクタによれば、導光手段が、表示画像の形成に不要な不要光の少なくとも一部を、投射光学系に導く。加えて、不要光は、この投射光学系のうち、透過されている画像光の外周に導かれる。したがって、不要光は、この投射光学系からスクリーンに投射されると、画像光によって形成された表示画像の外周を縁取るような額縁状に投射される。つまり、表示画像の形成に不要な不要光であっても、表示画像に悪影響を与えることなくスクリーンに投射して利用することができ、無駄な熱の発生を妨げることができる。さらに、このように表示画像の外周を縁取るように表示画像の額縁が形成されると、表示画像の領域と他の領域との区分けが確かなものとなって、表示画像の視認性をより向上させる。
【０００８】
本発明に係るプロジェクタにおいては、前記導光手段が、複数の光ファイバで構成されていることが好ましい。このように導光手段が複数の光ファイバで構成された場合には、嵩張ることなく、かつ安価に、不要光を画像光の外周に導くことができる。
【０００９】
本発明に係るプロジェクタにおいては、前記光ファイバのそれぞれが、前記表示画像の外縁近傍を形成する前記画像光と対応した前記不要光を、その画像光の近くの前記外周に導くことが好ましい。
このようにプロジェクタが構成された場合には、画像光に対応する不要光が、その画像光とは反対の成分（ネガポジション）で組成され、その画像光の近くの外周に導かれる。これによって、その表示画像の外縁近傍を形成する画像光と、その近くに存する外周を形成する不要光とが補色の関係を有し、しいては、不要光による表示画像の外周を縁取るような額縁状に投射された画像と、その近くに存する画像光による表示画像の外縁近傍とが、互いに補色の関係を有することとなる。したがって、表示画像の領域と、その外周（額縁状の縁取り）との区分けが確かなものになり、表示画像の視認性をより向上させる。
【００１０】
本発明に係るプロジェクタにおいては、前記照射装置が、複数の色光を時分割で照射するように構成され、前記光変調素子は、色光ごとに変調して、前記画像光及び前記不要光を射出するように構成されていることが好ましい。
このようにプロジェクタが構成された場合には、表示画像の外縁近傍を投射する画像光と、その近くに存する外周を投射する不要光とは、ＲＧＢ（レッド、グリーン、ブルー）によって補色の関係を有する。つまり、ＲＧＢカラーから組成されることにより、互いの補色の関係が、より鮮明なものとなる。したがって、表示画像の視認性をより向上させる上、より興趣の向上した演出を実現することができる。
【００１１】
また、本発明に係るプロジェクタは、上述のプロジェクタとは異なり、次のような構成が採用されるものであってもよい。すなわち、本発明に係るプロジェクタは、照射装置と、前記照射装置から射出された光を変調して射出する光変調素子と、前記光変調素子により変調され射出された光をスクリーンに向けて投射し表示画像を形成する第一の投射光学系とを備えたプロジェクタであって、前記光変調素子は、傾斜角度を変更可能に構成されたマイクロミラーを複数備え、前記マイクロミラーへの入射角度を画像情報に応じて変更することにより、前記表示画像を形成する画像光を前記第一の投射光学系に向けて反射すると共に、前記表示画像の形成に不要な不要光を前記第一の投射光学系から外れた向きに反射するように構成され、前記第一の投射光学系とは異なる新たな第二の投射光学系と、前記不要光の少なくとも一部を前記第二の投射光学系に導く導光手段とを備え、前記第二の投射光学系は、前記第一の投射光学系によって前記スクリーンに形成された前記表示画像の外周を縁取るように、光を投射することを特徴とする。
【００１２】
このプロジェクタによれば、導光手段が、表示画像の形成に不要な不要光の少なくとも一部を、第二の投射光学系に導く。また、この第二の投射光学系は、第一の投射光学系によってスクリーンに形成された表示画像の外周を縁取るように光を投射する。これによって、不要光は、スクリーンに、画像光によって形成された表示画像の外周を縁取るような額縁状に投射される。つまり、表示画像の形成に不要な不要光であっても、表示画像に悪影響を与えることなくスクリーンに投射して利用することができ、無駄な熱の発生を妨げることができる。さらに、このように表示画像の外周を縁取るように表示画像の額縁が形成されると、表示画像の領域と他の領域との区分けが確かなものとなって、表示画像の視認性をより向上させる。
【００１３】
また、このように構成されたプロジェクタにおいても、前記導光手段が、複数の光ファイバで構成されていることが好ましい。このように構成された場合には、上述と同様、嵩張ることなく、かつ安価に、不要光を画像光の外周に導くことができる。
【００１４】
本発明に係るプロジェクタにおいては、前記光ファイバのそれぞれが、前記表示画像の外縁近傍を形成する前記画像光と対応した前記不要光を、その外縁近傍の前記表示画像の前記外周に導くように、設けられていることが好ましい。
このようにプロジェクタが構成された場合には、画像光に対応する不要光が、その画像光とは反対の成分（ネガポジション）で組成され、その不要光を、その外縁近傍の表示画像の外周に投射できる。これによって、その表示画像の外縁近傍を形成する画像光と、その近くに存する外周を形成する不要光とは、補色の関係を有し、しいては、不要光による表示画像の外周を縁取るような額縁状に投射された画像と、その近くに存する画像光による表示画像の外縁近傍とが、互いに補色の関係を有することとなる。したがって、表示画像の領域と、その外周（額縁状の縁取り）との区分けが確かなものになり、表示画像の視認性をより向上させる。
【００１５】
また、このように構成されたプロジェクタにおいても、前記照射装置が、複数の色光を時分割で照射するように構成され、前記光変調素子は、色光ごとに変調して、前記画像光及び前記不要光を射出するように構成されていることが好ましい。このように構成された場合には、上述と同様、表示画像の外縁近傍を投射する画像光と、その近くに存する外周を投射する不要光とは、ＲＧＢ（レッド、グリーン、ブルー）によって補色の関係を有し、互いの補色の関係がより鮮明なものとなって、表示画像の視認性をより向上させる上、より興趣の向上した演出を実現することができる。
【００１６】
なお、上述のプロジェクタにおいては、マイクロミラーによって投射光学系から外れた向きに反射された不要光を、導光手段によって投射光学系に導く前の段階において、その不要光の一部を吸収させるように構成された適宜の光吸収手段が設けられるものであってもよい。このように光吸収手段が設けられた場合には、光変調素子から射出される不要光は、先ず、光吸収手段に入射するので、表示画像の外周を縁取るように射出させたい不要光以外の光を、この光吸収手段に吸収させることができる。つまり、投射させたい若しくは投射させたくない、何れかの不要光の選択を容易に行うことができる。
【００１７】
また、上述した導光手段に、その導光手段によって導かれる光の光量を適宜に調節することができる光量調節手段が設けられるものであってもよい。このように光量調節手段が設けられた場合には、例えば表示画像の外周を縁取るように射出された光の強度を調節することができ、より興趣の向上した演出を実現することができる。
【発明を実施するための最良の形態】
【００１８】
以下、本発明に係るプロジェクタの各種の実施形態について、図面を参照しながら説明する。図１は、本発明に係るプロジェクタの第１実施形態を示す模式図である。
〔第１実施形態〕
図１における符号１は、本発明に係るプロジェクタを示している。このプロジェクタ１は、照射装置Ｌと、照射装置Ｌからの光を変調する光変調素子としての光変調部材１０と、変調された光をスクリーンに投射する投射光学系２０と、不要光を入射させて一部を吸収する光吸収部材３０と、入射された不要光の少なくとも一部を導く光ファイバケーブル４０とを具備して大略構成される。符号Ｓは、このプロジェクタ１から射出された表示画像Ｈ１を写し出すスクリーンである。
【００１９】
照射装置Ｌは、光変調部材１０（詳しくは、光変調素子としてのＤＭＤ１２）に向けて光束Ｌａを射出するものである。この照射装置Ｌは、光源Ｌ１と、この光源Ｌ１の光を光変調部材１０に好適に照射させるためのリフレクタＬ２とを具備して構成される。この光源Ｌ１は、光束を時間的にレッド・グリーン・ブルーと切り替えながら（時分割）点灯することができるＬＥＤ（light emitting diode）で構成されている。つまり、複数の色光を時分割で照射するように構成されている。また、リフレクタＬ２としては、放物面鏡を用いている。なお、この照射装置Ｌは、図示しない制御装置に電気的に接続されている。
【００２０】
光変調部材１０は、適宜の電子制御半導体等を備えた基板１１と、この基板１１上に設けられたＤＭＤ１２とを具備して構成される。このＤＭＤ１２は、傾斜角度を変更可能に構成されたマイクロミラー（不図示）を複数備え、マイクロミラーへの入射角度を、電気的に接続される制御装置からの画像情報に応じて変更する。これにより、マイクロミラーは、表示画像Ｈ１を形成する画像光Ｌｂを投射光学系２０に向けて反射すると共に、表示画像Ｈ１の形成に不要な不要光を前記投射光学系から外れた向きに反射するように構成されている。
【００２１】
より具体的には、ＤＭＤ１２は、ＣＭＯＳウェハープロセスを基にマイクロマシン技術により半導体チップ上に多数の可動マイクロミラーを集積した反射型光変調素子であり、可動マイクロミラーは対角軸を中心に回転し、２つの所定角度（±θ）に傾斜した双安定状態を取ることできるように構成されている。この２つの状態間で４θの大きな光偏向角が得られ、Ｓ／Ｎ比の良好な光スイッチングを行うことができるようになっている。
【００２２】
つまり、このＤＭＤ１２は、例えば、照射装置Ｌから入射してきた光束Ｌａのうち、＋２θ方向に偏向される光束については投射光学系２０に向って画像光として射出する（光Ｌｂ）。また、このＤＭＤ１２は、例えば、照射装置Ｌから入射してきた光束Ｌａのうち、−２θ方向に偏向される光束つまり表示画像Ｈ１の形成に不要な光（不要光）Ｌｃについては、光吸収部材３０に向って射出し、この光吸収部材３０に入射させる。なお、このＤＭＤ１２を備えた光変調部材１０についても図示しない制御装置に電気的に接続され、上述した照射装置Ｌと同期するように構成されている。つまり、照射装置Ｌからの光束を時間的にレッド・グリーン・ブルーと切り替えながら点灯させる（時分割）ことに同期させ、ＤＭＤ１２に対応する色成分を画像光Ｌｂないし不要光Ｌｃとして射出させる（色光ごとに変調させる）ように構成されている。これによって、このプロジェクタ１ではカラー表示できるようになっている。
【００２３】
投射光学系２０は、上述した光変調部材１０のＤＭＤ１２から射出された画像光Ｌｂを、スクリーンＳに投射して表示画像Ｈ１を形成させるものである。図示されている投射レンズ２１は、この投射光学系２０の一部を構成するものであって、図示簡略化のため、リレーレンズ等の適宜の光学系については省略している。なお、本発明における投射光学系は、さらに適宜の光学系を具備して構成されるものであっても何ら問題は無い。
【００２４】
光吸収部材３０は、前記投射光学系２０に向けて射出される画像光Ｌｂの光路から外れた位置に設けられている。この光吸収部材３０は、前記光変調部材１０のＤＭＤ１２によって変調された不要光Ｌｃを入射させるように構成されるものである。なお、この光吸収部材３０は、不要光Ｌｃの全てを吸収するものではなく、少なくとも一部の不要光Ｌｃを利用するように構成されるものであればよい。
【００２５】
この光吸収部材３０には、入射された不要光Ｌｃを投射光学系２０に導くための、導光手段としての光ファイバケーブル４０の一端４０ａが接続されている。また、その一端４０ａと逆側の他端４０ｂは、投射光学系２０の一部を構成する投射レンズ２１に接続されている。この光ファイバケーブル４０は、光吸収部材３０から投射レンズ２１（投射光学系２０）に光を導くように構成されるものであれば、光ファイバケーブル（光ファイバ）に限定されることなく、適宜に選択することができる。
【００２６】
図２（Ａ）は、光吸収部材３０に接続される光ファイバケーブル４０の接続例を示している。図２（Ａ）中の符号Ｆは、上述したＤＭＤ１２から変調して射出され、この光吸収部材３０に入射される不要光Ｌｃの領域を示している。この光吸収部材３０に入射された不要光Ｌｃの領域Ｆの外縁近傍（外周の近く）に存する領域（符号Ｆａ）が、光ファイバケーブル４０の一端４０ａを接続する領域に設定されている。この領域Ｆａに、光ファイバケーブル４０の一端４０ａが複数接続されている。なお、この図示される不要光Ｌｃの領域Ｆの外周の近くに存する領域（符号Ｆａ）が、表示画像Ｈ１の外縁近傍を形成する画像光Ｌｂと対応した不要光Ｌｃの領域となっている。
【００２７】
また、図２（Ｂ）は、投射レンズ２１（投射光学系２０）に接続される光ファイバケーブル４０の接続例を示している。図２（Ｂ）中の符号Ｇは、この投射レンズ２１のうち、画像光Ｌｂが投射される際に透過する領域（透過領域）となっている。
【００２８】
ここで、図２（Ｂ）に示すように、その画像光Ｌｂの透過領域Ｇの外周に沿った、その外側に適宜幅を有した枠状の帯域Ｇａが、光ファイバケーブル４０の他端４０ｂを接続する領域に設定されている。この枠状の帯域Ｇａに、光ファイバケーブル４０の他端４０ｂが複数接続されている。さらに、光ファイバケーブル４０は、表示画像Ｈ１を形成する画像光Ｌｂのうち、投射レンズ２１に接続された他端４０ｂの近くに存する画像光に対して発生した不要光Ｌｃを、その一端４０ａから入射するように、光吸収部材３０に接続されている。このように光ファイバケーブル４０の一端４０ａ及び他端４０ｂが、光吸収部材３０及び投射レンズ２１（投射光学系２０）に接続されることにより、光ファイバケーブル４０は、表示画像Ｈ１を形成する光のうち、投射光学系２０に接続された他端４０ｂの近くに存する画像光Ｌｂに対応した不要光Ｌｃを、この投射レンズ２１（投射光学系２０）に導いている。
【００２９】
以上のように構成されたプロジェクタ１は、次のような作用効果を奏する。すなわち、このプロジェクタ１によれば、光吸収部材３０が、ＤＭＤ１２から変調して射出される光のうち、投射光学系２０に接続された他端４０ｂの近くに存する画像光Ｌｂに対応した不要光Ｌｃを選択して、光ファイバケーブル４０に射出する。また逆に、光吸収部材３０は、この投射光学系２０に接続された他端４０ｂの近くに存する画像光Ｌｂに対応していない不要光Ｌｃに関しては、ＤＭＤ１２から変調して射出された段階で吸収する。そして、光ファイバケーブル４０が、その入射された不要光Ｌｃを、投射レンズ２１のうち、画像光Ｌｂの透過領域Ｇの外周に沿った、その外側に適宜幅を有した枠状の帯域Ｇａに導く。次いで、投射レンズ２１は、投射レンズ２１に接続された他端４０ｂの近くに存する画像光Ｌｂに対応した不要光Ｌｃを、画像光ＬｂとともにスクリーンＳに投射する。このようにして、スクリーンＳには、表示画像Ｈ１と、その表示画像Ｈ１の外周を縁取るような額縁状の額縁画像Ｈ２とが、形成される。
【００３０】
したがって、表示画像Ｈ１の形成に不要な不要光Ｌｃであっても、表示画像Ｈ１に悪影響を与えることなくスクリーンＳに投射して利用することができ、無駄な熱の発生を妨げることができる。さらに、このように表示画像Ｈ１の外周を縁取るように表示画像Ｈ１の額縁画像Ｈ２が形成されると、表示画像Ｈ１の領域と他の領域との区分けが確かなものとなって、表示画像Ｈ１の視認性をより向上させる。
【００３１】
また、上述したように、光吸収部材３０に接続される光ファイバケーブル４０の一端４０ａは、表示画像Ｈ１を形成する画像光Ｌｂのうち、投射レンズ２１に接続された他端４０ｂの近くに存する画像光に対応した不要光Ｌｃを入射する箇所に接続されているので、光ファイバケーブル４０は、この形成された表示画像Ｈ１を組成する光とは反対のＲＧＢ成分（ネガポジション）で組成された光を投射レンズ２１に導く。これによって、その表示画像Ｈ１の外縁近傍を形成する画像光Ｌｂと、その近くに存する外周を形成する不要光Ｌｃとが補色の関係を有し、しいては、不要光Ｌｃによる表示画像Ｈ１の外周を縁取るような額縁状に投射された額縁画像Ｈ２と、その近くに存する画像光Ｌｂによる表示画像Ｈ１の外縁近傍とが、互いに補色の関係を有することとなる。
【００３２】
さらに、照射装置Ｌは、光束を時間的にレッド・グリーン・ブルーと切り替えながら照射し（時分割）、ＤＭＤ１２は、それに同期させているので、その表示画像Ｈ１の外縁近傍を投射する画像光Ｌｂと、その近くに存する外周の額縁画像Ｈ２を投射する不要光Ｌｃとは、ＲＧＢ（レッド、グリーン、ブルー）によって補色の関係を有し、しいては、額縁画像Ｈ２と、表示画像Ｈ１の外縁近傍とが、互いにＲＧＢ（レッド、グリーン、ブルー）によって補色の関係を有することとなる。
【００３３】
例えば、表示画像Ｈ１の外縁近傍区域Ｈ３を形成する画像光Ｌｂが、レッドのみで組成されている場合には、不要光Ｌｃは、これとは反対のグリーンとブルーが合わされたシアンが組成されて射出されることとなる。そして、この不要光Ｌｃが、投射されることにより、表示画像Ｈ１の外縁近傍区域Ｈ３と近接する、額縁画像Ｈ２の区域Ｈ４を形成する。つまり、図３に示すように、表示画像Ｈ１と、その表示画像Ｈ１（区域Ｈ３）に近接した位置の額縁画像Ｈ２（区域Ｈ４）との間には、互いに反対のＲＧＢ成分で組成された色によって構成されているので、色彩的に明確な違いを生み出せる。したがって、表示画像Ｈ１の領域と縁取りとなる額縁画像Ｈ２との区分けをより確かなものにして、表示画像Ｈの視認性をより向上させるばかりか、美観も向上させる。
【００３４】
〔第２実施形態〕
次に、第１実施形態とは異なり、別個で新たな投射光学系が設けられた例について、図４を参照しながら説明する。なお、第２実施形態のプロジェクタ２のうち、上述の第１実施形態のプロジェクタ１と同一に構成される箇所については、同一の符号を付して説明を省略若しくは簡略化する。図４は、本発明に係るプロジェクタの第２実施形態を示す模式図である。
【００３５】
図４に示すプロジェクタ２は、照射装置Ｌと、照射装置Ｌからの光を変調する光変調部材１０と、変調された光のうち画像光をスクリーンに投射する第一の投射光学系５０と、不要光Ｌｃを入射させる光吸収部材３０と、第一の投射光学系５０とは別個に設けられるものであって変調された光のうち不要光をスクリーンＳに投射する第二の投射レンズ６１（第二の投射光学系６０）と、入射された不要光の少なくとも一部を第二の投射レンズ６１に導く導光手段としての光ファイバケーブル４１とを具備して大略構成される。
【００３６】
図示されている第一の投射光学系５０は、上述の第１実施形態における投射光学系２０と同様に、その一部の構成として第一の投射レンズ５１のみを列挙して示している。また、これと同様に、第二の投射光学系６０にあっても、この投射光学系の一部の構成として第二の投射レンズ６１のみを列挙して示している。なお、第二の投射光学系６０にあっても、さらに適宜の光学系を具備して構成されるものであっても何ら問題は無い。
【００３７】
また、この第２実施形態にあっても、導光手段としての光ファイバケーブル４１によって、光吸収部材３０と、第二の投射レンズ６１とが接続されている。この第２実施形態の光ファイバケーブル４１にあっても、その一端４１ａが光吸収部材３０に接続され、他端４１ｂが第二の投射レンズ６１に接続され、光吸収部材３０に入射された不要光Ｌｃを第二の投射レンズ６１（第二の投射光学系６０）に導く。
【００３８】
具体的には、第１実施形態において説明した図２（Ａ）に示すように、この光ファイバケーブル４１にあっても、光吸収部材３０に入射された不要光Ｌｃの領域Ｆの外縁近傍（外周の近く）に存する領域Ｆａに、光ファイバケーブル４１の一端４１ａが複数接続されている。また、光ファイバケーブル４１の他端４１ｂは、第１実施形態において説明した図２（Ｂ）に示すように、この第二の投射レンズ６１には、第一の投射レンズ５１において形成される透過領域Ｇに対応した仮想の透過領域が設定されると共に、この仮想の透過領域の外周外側に適宜幅を持たせてなる枠状の帯域が設定されている。
【００３９】
そして、この枠状の帯域に、光ファイバケーブル４１の他端４１ｂが複数接続されている。これによって、第二の投射レンズ６１によって射出される不要光Ｌｃは、第一の投射レンズ５１によって射出された画像光Ｌｂの近くに存する光の不要光とすることができ、額縁画像Ｈ２をスクリーンＳに形成することができる。なお、この第２実施形態のプロジェクタ２にあっても、上述の第１実施形態と同様に、互いに近接する、表示画像Ｈ１の区域Ｈ３と額縁画像Ｈ２の区域Ｈ４とは、相関する光（画像光Ｌｂ、不要光Ｌｃ）によって構成されている。つまり、光ファイバケーブル４１のそれぞれが、表示画像Ｈ１の外縁近傍を形成する画像光Ｌｂと対応した不要光Ｌｃを、その外縁近傍の表示画像Ｈ１の外周に導くようになっている。これにより、第二の投射光学系６０は、第一の投射光学系５０によってスクリーンＳに形成された表示画像Ｈの外周を縁取るように不要光Ｌｃを投射する。
【００４０】
以上のように構成されたプロジェクタ２は、次のような作用効果を奏する。すなわち、このプロジェクタ２によれば、光吸収部材３０が、ＤＭＤ１２から変調して射出される光のうち表示画像の形成に不要な不要光を、ＤＭＤ１２から変調して射出された段階で入射する。さらに、光ファイバケーブル４１が、その入射された不要光Ｌｃを、前記第二の投射光学系６０の一部を構成する第二の投射レンズ６１に導く。そして、この第二の投射レンズ６１から、上述したような、表示画像Ｈ１の外周を縁取る額縁画像Ｈ２が投射される。
【００４１】
したがって、このプロジェクタ２にあっても、第１実施形態と同様の作用効果を奏することができる。例えば、額縁画像Ｈ２が形成されことにより、表示画像Ｈ１の視認性をより向上させる。また、図３に示すように、表示画像Ｈ１と、その表示画像Ｈ１（区域Ｈ３）に近接した位置の額縁画像Ｈ２（区域Ｈ４）との間に、色彩的に明確な違いを生み出して、美観も向上させる。
【００４２】
なお、本発明に係るプロジェクタは、上述したような実施の形態に限定されるものではなく、本発明の趣旨を逸脱しない範囲において適宜に選択して構成することができる。
例えば、照射装置Ｌの光源Ｌ１を、放射状の光線を射出する放射光源としての光源ランプとして構成し、この光源ランプから射出された放射光を、ＤＭＤ１２を照射する光Ｌａとして構成してもよい。この光源ランプとしては、ハロゲンランプやメタルハライドランプ、または高圧水銀ランプが例に挙げられる。また、リフレクタとしては、放物面鏡の他、平行化レンズ（凹レンズ）と共に楕円面鏡を用いるものであってもよい。
【００４３】
このように光源Ｌ１に放射光源としてなる光源ランプが用いられた場合には、この照射装置Ｌと光変調部材１０との間に、色切替光学系が新たに配される必要がある。この色切替光学系としては、例えば、円盤状に形成され、回転することにより照射装置Ｌから射出された光束をＲ，Ｇ，Ｂの３つの色光に切り替えるカラーホイールと、照射装置Ｌから射出された光束をカラーホイール近傍に集光する適宜のコンデンサーレンズとを備えて構成されるものであればよい。なお、カラーホイールとしては、例えば回転方向に沿って区切られた４つの扇形の領域に３つの透過型色フィルタ（レッド、グリーン、ブルー）が形成されて構成されるものであればよい。
【００４４】
このように照射装置Ｌを構成した場合には、新たに設けられる色切替光学系を、図示されていない制御装置に接続し、ＤＭＤ１２と同期されるように動作制御されるように構成する。例えば、カラーホイールを一定周波数２４０Ｈｚに同期させ、画像信号をＤＭＤ１２に出力し、レッド・グリーン・ブルーの各画素に対応した可動マイクロミラーのオン／オフを行う。
さらにまた、上述の実施形態中のプロジェクタ１，２においては、ＤＭＤを１枚備えた構成を例にして説明した。しかし、本発明に係るプロジェクタは、この例に限定されることなく、ＤＭＤを複数枚（例えば３枚）備えるようにした構成が採用されるものであっても何ら問題の無いものとされる。
【００４５】
また、上述の第１実施形態及び第２実施形態中における光ファイバケーブル４０，４１には、その光ファイバケーブル４０，４１によって導かれる光の光量を適宜に調節することができる、光量調節絞り（光量調節手段）が設けられるものであってもよい。このように光量調節絞りが設けられた場合には、例えば上述したような、表示画像外周を縁取るように射出された光の強度を調節することができ、より興趣の向上した演出を実現することができる。
【００４６】
また、第２実施形態中における第二の投射レンズ（第二の投射光学系）６１から射出して形成される額縁画像Ｈ２は、適宜のリレーレンズや制御装置等が新たに設けられることによって形成されるものであってもよい。つまり、表示画像Ｈ１の外周箇所を形成する画像光に対して発生した不要光Ｌｃが、その外周箇所と近接する額縁画像Ｈ２を形成するように、不要光Ｌｃが選択されて射出されるように構成されていればよい。第２実施形態においては、この第二の投射レンズ６１の適宜領域（仮想の透過領域）の外周外側に接続されてように構成されているが、第二の投射光学系６０に適宜の制御装置を新たに設け、この制御装置によって第一の投射光学系５０によってスクリーンＳに形成された表示画像の外周を縁取るように光の射出制御なされるものであっても何ら問題の無いものとされる。
【産業上の利用可能性】
【００４７】
本発明に係るプロジェクタは、表示画像の視認性を高め、興趣の向上した演出を実現することができるため、プレゼンテーションやホームシアタに用いるプロジェクタとして利用することができる。
【図面の簡単な説明】
【００４８】
【図１】本発明に係るプロジェクタの第１実施形態を示す模式図。
【図２】光吸収部材に接続される光ファイバケーブルの接続区域の例を示す図。
【図３】スクリーンに射出（投影）される表示画像と額縁画像の詳細を示す図。
【図４】本発明に係るプロジェクタの第２実施形態を示す模式図。
【符号の説明】
【００４９】
１…プロジェクタ、１０…光変調部材、１２…ＤＭＤ（光変調素子）、２０…投射光学系、２１…投射レンズ、３０…光吸収部材、４０，４１…光ファイバケーブル（導光手段、光ファイバ）、５０…第一の投射光学系、６０…第二の投射光学系、Ｌ…照射装置、Ｇ…透過領域、Ｇａ…透過領域の外周に沿った枠状の帯域（透過領域の外周）、Ｌｂ…画像光（表示画像を形成する光）、Ｌｃ…不要光、Ｈ１…表示画像、Ｓ…スクリーン
【図１】
2008176031.tif 000003
【図２】
2008176031.tif 000004
【図３】
2008176031.tif 000005
【図４】
2008176031.tif 000006